(57)【要約】【課題】複数種類の籠体を所望に応じて交換し、簡易に装着することができる自転車用の籠体支持枠及びその籠体支持枠に装着される籠体を提供する。【解決手段】自転車のハンドルバー１０の内側には、籠体支持枠１１の枠本体１２が固定されている。枠本体１２はメインフレーム１３、第１サポートフレーム１４ａ及び第２サポートフレーム１４ｂにより籠状に形成されており、その内部に収容空間１７を有している。チャイルドシート２０は、枠本体１２の収容空間１７に挿入され、収容されることにより、籠体支持枠１１に装着されている。また、収容空間１７からチャイルドシート２０を脱離し、籠体支持枠１１から脱着することにより、同籠体支持枠１１にバスケット等の他の種類の籠体を装着することが可能である。【選択図】        図２
2004168226.tif 000002
【特許請求の範囲】
【請求項１】
正面視で略Ｕ字状をなすハンドルバーを備える自転車に対し、そのハンドルバーの内側に籠体を装着するための自転車用の籠体支持枠であって、
枠本体と、この枠本体をハンドルバーに固定するための固定手段とを備え、
該枠本体は、籠体を係合するためのメインフレームと、籠体を支持するためのサポートフレームとを有し、
そのメインフレームに籠体が係合され、かつサポートフレームに籠体が支承されることにより、籠体が自転車に装着されるとともに、
該メインフレームと籠体との係合が解除され、かつサポートフレーム上から籠体が脱離されることにより、籠体を自転車から脱着し、
同籠体と、これとは異なる他の籠体とを交換して装着可能にしたことを特徴とする自転車用の籠体支持枠。
【請求項２】
請求項１に記載の自転車用の籠体支持枠に装着される子供を同乗させるための籠体であって、
座面及び背もたれを有する本体部を備え、
当該本体部は、上方及び前方に開口する箱状に形成されるとともに、
本体部の上方に開口する開口部の周縁には、籠体支持枠のメインフレームを内部に収容可能な収容溝を有する係合部を設け、
その収容溝の内面には、メインフレームの周面に当接して収容溝からの同メインフレームの抜け出しを規制するための係止突起を突設したことを特徴とする籠体。
【請求項３】
前記本体部は、合成樹脂製であり、係合部と一体的に成形されるとともに、同係合部には、成形時の歪みを抑制するための切欠部を設けたことを特徴とする請求項２に記載の籠体。
【請求項４】
請求項１に記載の籠体支持枠に装着される荷物を運搬するための籠体であって、
上方に開口する網籠状に形成されたバスケット本体を有し、籠体支持枠に装着された状態で、同バスケット本体の外底面には籠体支持枠のサポートフレームが、同バスケット本体の外周面には籠体支持枠のメインフレームが当接されることを特徴とする籠体。
【発明の詳細な説明】
【０００１】
【発明の属する技術分野】
本発明は、自転車にチャイルドシート、バスケット等の籠体を交換可能に装着するための籠体支持枠及びその籠体支持枠に装着される籠体に関するものである。
【０００２】
【従来の技術】
従来、自転車のハンドルよりも前方又は後方に子供を乗せるためのチャイルドシートを取付けた場合、ハンドルの中心軸上からチャイルドシートの重心がずれ、乗車時にハンドルがふらつくおそれがある。このふらつきを抑制するため、正面視で略Ｕ字状をなすハンドルバーを備える自転車が提供されている。そして、ハンドルバーの内側にチャイルドシートが取付けられることにより、ハンドルの中心軸にチャイルドシートの重心が近づき、ふらつきが抑えられる。
【０００３】
一方、子供を乗せない場合、荷籠として利用可能に構成されたチャイルドシートも提供されている（例えば、特許文献１参照。）。同チャイルドシートは、子供を乗せる主籠部材と、子供を乗せたときに足載せ部となる副籠部材とを備えている。この主籠部材は、前方が開放された構成とされており、主籠部材に乗せられた子供は、この開放された部分から足を出し、副籠部材に載せる。そして、副籠部材は、主籠部材に対して回動可能に連結されており、子供を乗せないときには、副籠部材を回動させ、主籠部材の開放された部分を閉塞することにより、チャイルドシートを荷籠として利用することが可能となる。
【０００４】
【特許文献１】
特開平１１−４９０５８号公報
【０００５】
【発明が解決しようとする課題】
ところで、上記従来のチャイルドシートは、自転車のハンドルバー等に直接的に固定されている。子供を乗せる機会があるうちは、一時的な利便性を考え、チャイルドシートを荷籠として利用可能に構成することも有効ではある。しかし、子供が大きくなり、チャイルドシートを使用する機会がなくなったときには、チャイルドシートを取り外し、大きなバスケットを取付けるほうが、より多くの荷物等を載せることも可能であり、利便性は高い。また、近年はチャイルドシート、バスケットの他にも、例えばペット用バスケット等のように、収容物に応じた複数種類の籠体が予め用意されている。しかしながら、これら籠体は、自転車に固定して装着することを前提としており、その着脱には繁雑な作業を必要とするため、使用者の所望に応じて他の種類の籠体へと安易に交換できるものではなかった。
【０００６】
この発明は、このような従来技術に存在する問題点に着目してなされたものである。その目的とするところは、複数種類の籠体を所望に応じて交換し、簡易に装着することができる自転車用の籠体支持枠及びその籠体支持枠に装着される籠体を提供することにある。
【０００７】
【課題を解決するための手段】
上記の目的を達成するために、請求項１に記載の自転車用の籠体支持枠の発明は、正面視で略Ｕ字状をなすハンドルバーを備える自転車に対し、そのハンドルバーの内側に籠体を装着するための自転車用の籠体支持枠であって、枠本体と、この枠本体をハンドルバーに固定するための固定手段とを備え、該枠本体は、籠体を係合するためのメインフレームと、少なくとも籠体の底部を支持するためのサポートフレームとを有し、そのメインフレームに籠体が係合され、かつサポートフレームに籠体が支承されることにより、籠体が自転車に装着されるとともに、該メインフレームと籠体との係合が解除され、かつサポートフレーム上から籠体が脱離されることにより、籠体を自転車から脱着し、同籠体と、これとは異なる他の籠体とを交換して装着可能にしたことを要旨とする。
【０００８】
請求項２に記載の籠体の発明は、請求項１に記載の自転車用の籠体支持枠に装着される子供を同乗させるための籠体であって、座面及び背もたれを有する本体部と、同本体部の座面の前方から下方へ向かって延びるように延設された足乗せ部とを備え、前記本体部は、上方及び前方に開口する箱状に形成されるとともに、本体部の上方に開口する開口部の周縁には、籠体支持枠のメインフレームを内部に収容可能な収容溝を有する係合部を設け、その収容溝の内面には、メインフレームの周面に当接して収容溝からの同メインフレームの抜け出しを規制するための係止突起を突設したことを要旨とする。
【０００９】
請求項３に記載の籠体の発明は、請求項２に記載の発明において、前記本体部は、合成樹脂製であり、係合部と一体的に成形されるとともに、同係合部には、成形時の歪みを抑制するための切欠部を設けたことを要旨とする。
【００１０】
請求項４に記載の籠体の発明は、請求項１に記載の籠体支持枠に装着される荷物を運搬するための籠体であって、上方に開口する網籠状に形成されたバスケット本体を有し、籠体支持枠に装着された状態で、同バスケット本体の外底面には籠体支持枠のサポートフレームが、同バスケット本体の外周面には籠体支持枠のメインフレームが当接されることを要旨とする。
【００１１】
【発明の実施の形態】
以下、本発明を具体化した一実施形態を図面に基づいて説明する。
図１及び図２に示すように、正面視で略Ｕ字状をなすハンドルバー１０を備える自転車において、同ハンドルバー１０の内側には自転車用の籠体支持枠１１が固定されている。子供を同乗させるための籠体であるチャイルドシート２０は、この籠体支持枠１１を介して、ハンドルバー１０の内側に装着されている。なお、このチャイルドシート２０は、使用者とともに乳幼児、幼児等の子供を自転車に同乗させる目的で使用するものであり、その収容物は子供である。
【００１２】
前記ハンドルバー１０は、下端中央部で図示しないハンドルポストに連結されることにより、自転車のハンドルを構成している。このハンドルは、ハンドルポストを中心軸として回動可能となっている。また、ハンドルバー１０の上端には、両開口端部分をそれぞれ後方に曲げることにより、一対のグリップ部１０ａが形成されている。そして、使用者は、これらグリップ部１０ａを手で握り、ハンドルを回動操作することにより、自転車の方向転換等を行う。
【００１３】
前記籠体支持枠１１は、枠本体１２と、同枠本体１２をハンドルバー１０に固定するための固定手段とを備えている。この枠本体１２は、メインフレーム１３と、サポートフレームである各一対の第１サポートフレーム１４ａ及び第２サポートフレーム１４ｂとから構成されている。前記メインフレーム１３は、金属棒を曲折することにより、平面視で自転車の前後方向に延びる略長四角環状に形成されている。各一対の第１サポートフレーム１４ａ及び第２サポートフレーム１４ｂは、金属棒を曲折することにより、それぞれＵ字状に形成されている。一対の第１サポートフレーム１４ａは、それぞれが平行に延びるように配置された状態で、メインフレーム１３の前後部間に橋設されている。一対の第２サポートフレーム１４ｂは、それぞれが平行に延びるように配置された状態で、メインフレーム１３の両側部間に橋設されている。
【００１４】
一対の第２サポートフレーム１４ｂにおいて、各上端部の間には、前記固定手段を構成する側部固定板１５がそれぞれ溶接により接合されている。各側部固定板１５には、それぞれ長孔１５ａが透設されている。各一対の第１サポートフレーム１４ａ及び第２サポートフレーム１４ｂの交差部分には、前記固定手段を構成する底部固定板１６が溶接により接合されている。この底部固定板１６には、丸孔１６ａが透設されている。これら長孔１５ａ及び丸孔１６ａには、固定手段を構成する図示しないビス、ボルト等が挿通される。そして、ビス、ボルト等により、枠本体１２はハンドルバー１０に対し、螺設によって固定されている。また、前記底部固定板１６は、メインフレーム１３に対する各一対の第１サポートフレーム１４ａ及び第２サポートフレーム１４ｂの取付け位置を調整することにより、ハンドルバー１０とハンドルポストの連結部上、つまりハンドルを回動操作する際の中心軸上に配設されている。
【００１５】
上記のメインフレーム１３と、第１サポートフレーム１４ａ及び第２サポートフレーム１４ｂとから構成される枠本体１２は、上方に大きく開口する略四角籠状をなし、その内部には収容空間１７を有している。そして、前記チャイルドシート２０は、枠本体１２の開口、つまりはメインフレーム１３の内側から挿入され、収容空間１７に収容される。
【００１６】
図２、図５及び図６に示すように、チャイルドシート２０は、子供を乗せるための合成樹脂製の本体部２１と、子供の脚部を支持するための一対の足乗せ部２２とを備えている。本体部２１は、上方に開口する四角箱状に形成されており、底壁が座面２１ａとなり、後壁が背もたれ２１ｂとなる。また、本体部２１の前面には、その下半部を切り欠くことによって脚出孔２３が形成されており、同脚出孔２３から外部へ子供が脚部を出すことができるように構成されている。
【００１７】
一対の足乗せ部２２は、脚出孔２３において、座面２１ａの両側部を下方へ向かって膨出させるようにして断面凹状に形成されている。そして、脚出孔２３から出された脚部は、足乗せ部２２内に無理なく自然に収容される。また、一対の足乗せ部２２の間には、座面２１ａの平坦な部分を残して形成された移動規制部２４が設けられている。なお、これら足乗せ部２２は、本体部２１を成形する際、本体部２１と一体的に成形される。
【００１８】
本体部２１の上方に開口する開口部の外周縁には、前記籠体支持枠１１のメインフレーム１３と対応するように、係合部２６が設けられている。この係合部２６は、本体部２１の周壁の上端部分を横方向の外方へ延出させることにより、略逆Ｕ字状に形成されており、その内部に前記メインフレーム１３を収容可能な収容溝２７を有している。係合部２６は、本体部２１を成形する際、本体部２１と一体的に成形される。この成形時において、係合部２６に歪みが生じることを抑制するため、同係合部２６の周面上には複数の切欠部２８が設けられており、同切欠部２８において成形時の歪みが逃がされる。
【００１９】
本体部２１の前方上部には、チャイルドシート２０に乗せられた子供がその身体を支えるための把持部２５が備えられている。この把持部２５は、丸棒状をなすハンドル２５ａと、同ハンドル２５ａの両端部に設けられた一対の取着部２５ｂとから形成されている。そして、把持部２５は、これら取着部２５ｂを介して本体部２１に取付けられている。
【００２０】
図３及び図４に示すように、取着部２５ｂの基端部は、本体部２１の内側に配置された長側片２９と、外側に配置された短側片３０とを備えており、断面逆Ｊ字状に形成されている。このうち、長側片２９の先端には抜止凹部２９ａが設けられている。また、短側片３０の先端部は断面Ｌ字状をなすように内方へ曲げられており、さらにその先端には係止突起３１が突設されている。
【００２１】
この取着部２５ｂは、長側片２９及び短側片３０で係合部２６をその内側に囲い込むようにして本体部２１に取り付けられている。本体部２１に取付けられた状態で、長側片２９は、その先端が本体部２１の内面に設けられた抜止部２９ｂに係入され、突部２９ｃに抜止凹部２９ａが係合されることにより、本体部２１からの脱着が抑制されている。短側片３０は、その内周面と係止突起３１との間に係合部２６の外周縁部を挟み込むことにより、本体部２１からの脱着が抑制されている。
【００２２】
前記係止突起３１は、係合部２６の外周縁部を挟み込んだ状態で収容溝２７の内面上から突設され、その開口を狭めている。また、係合部２６の収容溝２７にメインフレーム１３が収容された状態で、当該係止突起３１は、その先端面をメインフレーム１３の周面に当接させている。そして、このように係止突起３１がメインフレーム１３の周面に当接されることにより、収容溝２７内からのメインフレーム１３の抜け出しが規制されている。
【００２３】
次に、籠体支持枠１１に対するチャイルドシート２０の装着及び脱着について説明する。まず、チャイルドシート２０の装着について説明すると、図２に示したように、チャイルドシート２０は、枠本体１２のメインフレーム１３の内側から、収容空間１７へと挿入される。そして、図５及び図６に示すように、チャイルドシート２０の係合部２６がメインフレーム１３に係合され、かつ底部が第１サポートフレーム１４ａ及び第２サポートフレーム１４ｂに支承されることにより、装着が完了する。
【００２４】
籠体支持枠１１に装着されたチャイルドシート２０は、係合部２６のメインフレーム１３への係合時、図４に示すように、係止突起３１がメインフレーム１３の周面に当接され、係合部２６のメインフレーム１３に対する脱着を規制される。また、係合部２６がメインフレーム１３をその内部に収容するようにして係合されるため、メインフレーム１３に対する係合部２６の移動が抑制される。
【００２５】
加えて、第１サポートフレーム１４ａはメインフレーム１３に対し、チャイルドシート２０の本体部２１の移動規制部２４が係合されるように、本体部２１の底部を迂回して橋設される。第２サポートフレーム１４ｂはメインフレーム１３に対し、足乗せ部２２の基端部が係合されるように、本体部２１の底部を迂回して橋設される。このため、第１サポートフレーム１４ａ及び第２サポートフレーム１４ｂは、メインフレーム１３とともに、本体部２１を下方から覆うように配設されている。従って、枠本体１２の収容空間１７内で本体部２１が前後左右のいずれかに移動しようとするとき、第１サポートフレーム１４ａ及び第２サポートフレーム１４ｂに、本体部２１の外周面、移動規制部２４の内面、足乗せ部２２の外面等が当接し、その移動が規制される。
【００２６】
次に、チャイルドシート２０の脱着について説明すると、まず係合部２６とメインフレーム１３との係合が解除される。この係合部２６とメインフレーム１３との係合解除は、係止突起３１が設けられた箇所、つまりは把持部２５の取着部２５ｂに設けられた両短側片３０を指で外側へ開きながら、同箇所を若干上方へ持ち上げることで行われる。すると、メインフレーム１３から係止突起３１が離間するとともに、同係止突起３１により狭められていた収容溝２７の開口が拡がることにより、当該収容溝２７に対応する箇所で係合部２６をメインフレーム１３から離脱させることが可能となる。なお、把持部２５は、本体部２１とは別体で形成されていることから、短側片３０のみを外側へ開く操作は、簡単に行うことができる。
【００２７】
その後、チャイルドシート２０を上方に持ち上げると、第１サポートフレーム１４ａ及び第２サポートフレーム１４ｂ上からチャイルドシート２０の本体部２１が脱離され、このまま収容空間１７内から本体部２１を抜き出すことにより、脱着が完了する。チャイルドシート２０の脱着が完了した後、図１に示したように、ハンドルバー１０の内側には籠体支持枠１１のみが残される。そして、この籠体支持枠１１には、チャイルドシート２０とは異なる他の籠体を交換して装着することが可能である。
【００２８】
この他の籠体としては、図７に示すように、荷物を運搬するための籠体であるバスケット３５が挙げられる。このバスケット３５は、バスケット本体３６を有する。このバスケット本体３６は、ラス網又はワイヤーロッドを網目状に張り巡らすことにより、上方に開口する四角形の網籠状に形成されている。また、バスケット本体３６の両側部間には、前後一対の持ち手３７が回動可能に架設されている。そして、これら持ち手３７を回動させ、手で把持することにより、バスケット３５を持ち歩くことが可能となる。
【００２９】
このバスケット本体３６は、その底部のサイズが枠本体１２の底部のサイズとほぼ同じとなるように形成されている。加えて、バスケット本体３６の高さ方向の中間部で、胴回りの長さは、枠本体１２のメインフレーム１３の内周の長さとほぼ同じとされている。従って、当該バスケット３５の装着時には、バスケット本体３６を枠本体１２の収容空間１７内に挿入するのみで、バスケット本体３６の外周面にメインフレーム１３が当接され、外底面には第１サポートフレーム１４ａ及び第２サポートフレーム１４ｂが当接される。また、バスケット３５の脱着は、バスケット本体３６を枠本体１２の収容空間１７から離脱させるのみで行われる。
【００３０】
前記の実施形態によって発揮される効果について、以下に記載する。
・  実施形態の自転車においては、ハンドルには籠体支持枠１１の枠本体１２のみが固定されており、チャイルドシート２０及びバスケット３５は、当該枠本体１２に対して着脱自在に構成されている。このため、例えば子供を同乗させるときにはチャイルドシート２０を装着し、買い物時にはバスケット３５を装着する等のように、チャイルドシート２０及びバスケット３５を使用者の所望に応じて交換することができる。
【００３１】
・  また、チャイルドシート２０及びバスケット３５の籠体支持枠１１への装着又は脱着は、それぞれを枠本体１２の収容空間１７へ挿入するか、又は収容空間１７から脱離するかによって行われる。従って、ビス、ボルト等を外す等のような煩雑な作業は必要なく、装着又は脱着を簡易に行うことができる。
【００３２】
・  また、チャイルドシート２０には、枠本体１２への装着時にメインフレーム１３へ当接し、同チャイルドシート２０の枠本体１２からの脱着を抑制する係止突起３１が設けられている。従って、チャイルドシート２０の使用時に、使用者の所望によらない脱着を抑制することができ、籠体支持枠１１へのチャイルドシート２０の装着を確実なものとすることができる。
【００３３】
・  また、チャイルドシート２０の係合部２６には、成形時の歪みを抑制するための切欠部２８が設けられている。このため、係合部２６を正確なサイズで成形することができ、同係合部２６の成形不良により、メインフレーム１３へ係合できなくなる等の不具合の発生を防止することができる。
【００３４】
・  また、バスケット３５は、そのバスケット本体３６が枠本体１２のサイズに合わせて形成されているため、枠本体１２の収容空間１７へ挿入するのみで装着をさらに簡易に行うことができる。
【００３５】
なお、本実施形態は、次のように変更して具体化することも可能である。
・  籠体支持枠１１に装着される籠体は、実施形態で示したチャイルドシート２０、バスケット３５に限らず、さらに他の種類の籠体としてもよい。この他の種類の籠体としては、例えばペット用バスケット、布製のバッグ、花籠等が挙げられる。また、バスケット３５、他の種類の籠体において、チャイルドシート２０に設けたように、メインフレーム１３をその内部に収容し、同メインフレーム１３に係合されるような係合部２６、係合解除を抑制する係止突起３１等を設けてもよい。
【００３６】
・  チャイルドシート２０において、本体部２１の内面にクッションを取り付けてもよい。この場合、本体部２１の周壁にクッションを取り付けるための取付孔を透設することが好ましい。
【００３７】
・  籠体支持枠１１の前面に、例えばライト、リフレクタ等といった使用者を相手側に認識させるための認識手段を取り付けてもよい。
・  メインフレーム１３と、第１サポートフレーム１４ａ及び第２サポートフレーム１４ｂとにおいて、第１サポートフレーム１４ａ及び第２サポートフレーム１４ｂよりもメインフレーム１３を太くして、その強度を向上させることが好ましい。つまり、第１サポートフレーム１４ａ及び第２サポートフレーム１４ｂは各一対ずつ、合計４本で籠体を支持するが、メインフレーム１３は１本で籠体を支持するためである。
【００３８】
・  第１サポートフレーム１４ａ及び第２サポートフレーム１４ｂは、枠本体１２の強度を維持することか可能であるならば、各１本ずつ、あるいは何れか一方を省略して構成してもよい。
【００３９】
・  実施形態では、籠体であるチャイルドシート２０、バスケット３５を枠本体１２に対して上方から挿入し、装着するように構成したが、これに限らず、前方又は後方から挿入可能に構成してもよい。この場合、具体的にはメインフレーム１３を平面視Ｕ字状に形成し、枠本体１２が籠体の前部又は後部を覆うように構成すればよい。
【００４０】
・  実施形態では係止突起３１を把持部２５に設けたが、これに限らず、メインフレーム１３に当接し、係合部２６との係合解除を抑制することが可能であれば、係合部２６の収容溝２７において、その内面のいずれに突設してもよい。
【００４１】
・  実施形態では、係合部２６は本体部２１の全周面にわたって形成したが、これに限らず、例えば両側部のみ、前後部のみ等のように少なくとも一部に設ければよい。
【００４２】
さらに、前記実施形態より把握できる技術的思想について以下に記載する。
・  前記メインフレームは、金属棒を曲折して略環状に形成されるとともに、前記サポートフレームは、金属棒を曲折して略Ｕ字状に形成され、メインフレームに対して籠体の底部を迂回するように橋設されることを特徴とする請求項１に記載の籠体支持枠。このように構成した場合、籠体を覆うようにメインフレーム及びサポートフレームを配置することができ、装着された籠体の移動を抑制することができる。
【００４３】
【発明の効果】
以上詳述したように、この発明によれば、次のような効果を奏する。
請求項１又は請求項４に記載の発明によれば、複数種類の籠体を所望に応じて交換し、簡易に装着することができる。
【００４４】
請求項２に記載の発明によれば、籠体支持枠に子供を同乗させるための籠体を簡易かつ確実に装着することができるとともに、所望に応じて子供を同乗させるための籠体から他の籠体へと交換することができる。
【００４５】
請求項３に記載の発明によれば、請求項２に記載の発明の効果に加えて、籠体の成形時における不具合の発生を抑制することができる。
【図面の簡単な説明】
【図１】実施形態の籠体支持枠を示す斜視図。
【図２】チャイルドシートを装着する状態を示す分解斜視図。
【図３】把持部の一部を拡大した斜視図。
【図４】チャイルドシートに把持部を取付た状態を示す断面図。
【図５】チャイルドシートを装着した状態を示す正面図。
【図６】チャイルドシートを装着した状態を示す側面図。
【図７】バスケットを装着した状態を示す側面図。
【符号の説明】
１０…ハンドルバー、１１…籠体支持枠、１２…枠本体、１３…メインフレーム、２０…籠体としてのチャイルドシート、２１…本体部、２１ａ…座面、２１ｂ…背もたれ、２６…係合部、２７…収容溝、２８…切欠部、３１…係止突起、３５…籠体としてのバスケット、３６…バスケット本体。
【図１】
2004168226.tif 000003
【図２】
2004168226.tif 000004
【図３】
2004168226.tif 000005
【図４】
2004168226.tif 000006
【図５】
2004168226.tif 000007
【図６】
2004168226.tif 000008
【図７】
2004168226.tif 000009